(57)【要約】      （修正有）【課題】手提げ式にしたり、肩掛け式にして使用しても耐久性に優れ、また低学年の学童などによっても、簡単に取り扱えるランドセルを提供する。【解決手段】ランドセル本体１の左右マチ部２に止体３を設けたものとし、この止体３に、手提げ式にしたり、肩掛け式にすることのできる予備ベルト４を着脱自在に取り付けることができるようにし、前記止体３は、吊下げ環５を取り付けたものとし、ランドセル本体１の左右マチ部２の表側に添わせたそれぞれのマチベルト６と、これら左右マチ部２の裏側に添わせたそれぞれの補強板を、前記左右マチ部２をそれぞれ間に挟んで、これら左右マチ部２に複数個所をリベット止めしたうちの一個所と一緒にリベット止めしたものとしている。【選択図】図１
0003152030.tif 000002
【実用新案登録請求の範囲】
【請求項１】
ランドセル本体（１）の左右マチ部（２）に止体（３）を設けたものとし、この止体（３）に、手提げ式にしたり、肩掛け式にすることのできる予備ベルト（４）を着脱自在に取り付けることができるようにし、前記止体（３）は、吊下げ環（５）を取り付けたものとし、ランドセル本体（１）の左右マチ部（２）の表側に添わせたそれぞれのマチベルト（６）と、これら左右マチ部（２）の裏側に添わせたそれぞれの補強板（７）を、前記左右マチ部（２）をそれぞれ間に挟んで、これら左右マチ部（２）に複数個所をリベット止めしたうちの一個所と一緒にリベット止めしたことを特徴とするランドセル。
【請求項２】
前記止体（３）を、強度性に優れた合成樹脂体、または金属体に掛け部（３ａ）を形成し、この掛け部（３ａ）に前記吊下げ環（５）を引っ掛けたものとしたことを特徴とする請求項１記載のランドセル。
【請求項３】
前記リベット止めしたうちの他の一個所を、ナス環（８）付きの止体（９）と一緒にリベット止めしたことを特徴とする請求項１記載のランドセル。
【請求項４】
前記補強板（７）を、マチベルト（３）と同幅で横長とした強度性に優れた合成樹脂板としたことを特徴とする請求項１記載のランドセル。
【考案の詳細な説明】
【技術分野】
【０００１】
この考案は、学童が背負う以外に、手提げ式にしたり、肩掛け式にして使用することができるランドセルに関するものである。
【背景技術】
【０００２】
従来、この種のランドセルは、図６に示したように、ランドセル本体２１の左右マチ部２２にそれぞれ設けた止め金２３に、ショルダーベルト２４の両端にそれぞれ設けたナス環２５を着脱自在として取り付けたものが存在する。そして、前記止め金２３は、Ｄ環としており、このＤ環にマチ部２２の共布からなる止紐２６を掛けて、この止紐２６をマチ部２２に縫着することにより取り付けている。さらに、前記止め金２３は、図示していないが、前記止紐２６をマチ部２２に縫着する代わりに、このマチ部２２にリベット止めしたものとすることができる（特許文献１）。
【０００３】
さらに、この種のランドセルは、図７に示したように、ランドセル本体２１の左右マチ部２２にそれぞれ設けたマチベルト２７の内側にショルダーベルト２４を通過させ、左右マチ部２２に添って引き上げたランドセルの背負いベルト２８の下側ベルト２８ａに設けた止め金２９を、前記ショルダーベルト２４の両端にそれぞれ設けた複数個の孔３０の何れかに着脱自在として取り付けたものが存在する。そして、前記マチベルト２７は、マチ部２２の共布からなり、ランドセル本体２１の左右マチ部２２に、前記ショルダーベルト２４が通過できるように、只単に掛け渡されたものとしている（特許文献１）。
【先行技術文献】
【特許文献】
【０００４】
【特許文献１】特開２０００−４９１７号公報
【考案の概要】
【考案が解決しようとする課題】
【０００５】
ランドセルは、学童が学校で使用する各教科書の他、各教科のノートや筆記具等が収納されているため重量が非常に大きいものとなるので、通学時など長時間、携行する場合には背負っている。しかし、教室などでランドセルを持って移動するなど、短時間、携行する場合などには、上記図６、７に示したようなランドセルでは、ショルダーベルト２４で肩に掛けて携行することができるため、非常に便利である。
【０００６】
しかしながら、図６に示した従来のランドセルでは、前記止め金２３が止紐２６を用いてランドセル本体２１の左右マチ部２２にそれぞれ直接、縫着またはリベット止めしているため、重量が非常に大きいランドセルをこのような止紐２６で支えるには、その縫着またはリベット止めした一点に荷重が掛かり過ぎて、長年の使用によっては、止紐２６を縫着またはリベット止めしたマチ部２２が破れたりしてしまって、耐久性に乏しいという問題点を有していた。
【０００７】
さらに、図７に示した従来のランドセルでは、背負いベルト２８の下側ベルト２８ａにショルダーベルト２４を直接、取り付けたものとしているので、重量が非常に大きいランドセルを支えるにも強度的には問題はないが、背負いベルト２８の下側ベルト２８ａを上側ベルト２８ｂから外し、マチベルト２７の内側に、ショルダーベルト２４を通過させ、このショルダーベルト２４の孔３０の何れかに前記下側ベルト２８ａの止め金２９を取り付ける作業は非常に面倒であり、また低学年の学童などには、このような取り付け作業ができない場合もあるという問題点を有していた。
【０００８】
そこで、この考案は、上記従来の問題点を解決するものであり、手提げ式にしたり、肩掛け式にして使用しても耐久性に優れ、また低学年の学童などによっても、簡単に取り扱えるランドセルを提供することを目的としてなされたものである。
【課題を解決するための手段】
【０００９】
この考案のランドセルは、ランドセル本体１の左右マチ部２に止体３を設けたものとし、この止体３に、手提げ式にしたり、肩掛け式にすることのできる予備ベルト４を着脱自在に取り付けることができるようにし、前記止体３は、吊下げ環５を取り付けたものとし、ランドセル本体１の左右マチ部２の表側に添わせたそれぞれのマチベルト６と、これら左右マチ部２の裏側に添わせたそれぞれの補強板７を、前記左右マチ部２をそれぞれ間に挟んで、これら左右マチ部２に複数個所をリベット止めしたうちの一個所と一緒にリベット止めしたものとしている。
【００１０】
そして、この考案のランドセルは、前記止体３を、強度性に優れた合成樹脂体、または金属体に掛け部３ａを形成し、この掛け部３ａに前記吊下げ環５を引っ掛けたものとしている。
【００１１】
さらに、この考案のランドセルは、前記リベット止めしたうちの他の一個所を、ナス環８付きの止体９と一緒にリベット止めしたものとしている。
【００１２】
また、この考案のランドセルは、前記補強板７を、マチベルト３と同幅で横長とした強度性に優れた合成樹脂板としている。
【考案の効果】
【００１３】
この考案のランドセルは、以上に述べたように構成されているので、手提げ式にしたり、肩掛け式にして使用しても耐久性に優れたものとなり、また低学年の学童などによっても、簡単に取り扱えるものとなった。
【図面の簡単な説明】
【００１４】
【図１】この考案のランドセルの一実施形態を示しており、手提げ式にして使用する状態を示す斜視図である。
【図２】この考案のランドセルの他の実施形態を示しており、肩掛け式にして使用する状態を示す斜視図である。
【図３】この考案のランドセルのマチ部の分解斜視図である。
【図４】この考案のランドセルを手提げ式にした場合の予備ベルトの斜視図である。
【図５】この考案のランドセルを肩掛け式にした場合の予備ベルトの斜視図である。
【図６】従来のランドセルの一例を示す斜視図である。
【図７】従来のランドセルの他の例を示す斜視図である。
【考案を実施するための形態】
【００１５】
以下、この考案のランドセルを実施するための形態を、図面に基づいて詳細に説明する。
【００１６】
この考案のランドセルは、ランドセル本体１の左右マチ部２に止体３を設けたものとし、この止体３に、手提げ式にしたり、肩掛け式にすることのできる予備ベルト４を着脱自在に取り付けることができるようにしている。
【００１７】
前記止体３は、強度性に優れた合成樹脂体、またはステンレス、アルミ合金などの金属体に掛け部３ａを形成するなどし、この掛け部３ａに吊下げ環５を引っ掛けて、取り付けたものとしている。なお、この吊下げ環５は、図示したものでは、Ｄ環としているが、ナス環などとすることもできる。
【００１８】
また、前記止体３は、ランドセル本体１の左右マチ部２の表側に添わせたそれぞれのマチベルト６と、これら左右マチ部２の裏側に添わせたそれぞれの補強板７を、前記左右マチ部２をそれぞれ間に挟んで、これら左右マチ部２に複数個所（図示したものでは三個所）をリベット止めしたうちの一個所と一緒にリベット止めしたものとしている。
【００１９】
さらに、図示したこの考案のランドセルは、前記リベット止めしたうちの他の一個所を、ナス環８付きの止体９と一緒にリベット止めしたものとしている。この止体９には、防犯ブザー、給食袋、上靴袋、定期入れなどの小物を吊り下げておくことができるようにしている。なお、前記左右マチ部２、止体３、マチベルト６、補強板７および止体９をリベット止めするには、それぞれにリベット孔ｈを設けたものとするのが好ましいが、必ずしもリベット孔ｈを設けたものとしなくてもよい。
【００２０】
前記補強板７は、強度性に優れた合成樹脂板にしたり、金属板にしており、マチベルト６と同幅で横長に形成している。なお、この補強板７は、金属板にするより合成樹脂板にする方が、ランドセル本体１の軽量化に好ましい。また、前記補強板７は、ランドセル本体１のマチ幅と同程度の長さにするのが好ましいが、マチ幅の半分程度の長さ以上であれば、補強板としての機能に支障をきたすことはない。
【００２１】
前記予備ベルト４は、布地や皮革地などの各種の素材からなるものとしており、前記止体３の吊下げ環５に着脱自在とした止具１０を両端に設けたものとしている。この予備ベルト４は、短くすれば手提げ式となり、左右マチ部２に掛け渡したときにランドセル本体１の上方に少なくとも手が差し込める空間が開く程度の長さにすればよい。また、この予備ベルト４は、長くすれば肩掛け式となり、左右マチ部２に掛け渡したときにランドセル本体１の上方に腕を差し込んで肩に掛ければ、ランドル本体１が脇腹から腰に当たる位置になるような長さにすればよい。
【００２２】
前記止具１０は、図示したものでは、予備ベルト４の両端に連設した止紐１１を前記止体３の吊下げ環５に引っ掛けて、止体１２に係止させるものとしているが、係脱操作のより簡単なナス環（図示せず）などとすることもできる。なお、前記吊下げ環５をナス環とした場合には、止具１０をＤ環などとすることもできる。
【００２３】
このように構成されたこの考案のランドセルは、以下に述べるようにすれば、手提げ式にしたり、肩掛け式にして使用することができる。
【００２４】
先ず、この考案のランドセルを手提げ式にして使用する場合には、手提げ用に短くした予備ベルト４の両端に設けた止具１０を、ランドセル本体１の左右マチ部２に設けた止体３に止めればよい。この場合、ランドセル本来の背負いベルト１３はそのままの状態にしておいてもよいが、背負いベルト１３の下側ベルト（図示せず）と上側ベルト１３ａの連結を外し、上側ベルト１３ａをランドセル蓋１４側に捲り上げ、下側ベルトもランドセル蓋１４側に向きを変えて捲り上げ、両ベルトを再び連結して、図１に示したように、ランドセル蓋１４に沿った状態にすれば、背負いベルト１３が手提げ時に邪魔にならないものとなる。
【００２５】
さらに、この考案のランドセルを肩掛け式にして使用する場合も、肩掛け用に長くした予備ベルト４の両端に設けた止具１０を、ランドセル本体１の左右マチ部２に設けた止体３に止めればよい。この場合も、ランドセル本来の背負いベルト１３はそのままの状態にしておいてもよいが、前記したのと同様にして、図２に示したように、ランドセル蓋１４に沿った状態にすれば、背負いベルト１３が肩掛け時に邪魔にならないものとなる。
【００２６】
したがって、この考案のランドセルは、上記したように手提げ式にしたり、肩掛け式にして使用する場合の何れにおいても、低学年の学童などによっても簡単に取り扱えるものとなる。
【００２７】
そして、この考案のランドセルは、上記したように手提げ式にしたり、肩掛け式にして使用する場合の何れにおいても、予備ベルト４を止めておく止体３は、ランドセル本体１の左右マチ部２にそれぞれ、マチベルト６および補強板７を間に挟んでリベット止めされており、しかもマチベルト６および補強板７は左右マチ部２に複数個所でリベット止めされているので、ランドセルの非常に大きい荷重が作用しても、その荷重は複数個のリベット止め部分に分散されて小さいものとなり、左右マチ部２が破れたりすることなく、耐久性に優れたものとなる。
【符号の説明】
【００２８】
１  ランドセル本体
２  マチ部
３  止体
３ａ  掛け部
４  予備ベルト
５  吊下げ環
６  マチベルト
７  補強板
８  ナス環
９  止体
【図１】
0003152030.tif 000003
【図２】
0003152030.tif 000004
【図３】
0003152030.tif 000005
【図４】
0003152030.tif 000006
【図５】
0003152030.tif 000007
【図６】
0003152030.tif 000008
【図７】
0003152030.tif 000009
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
ランドセル本体（１）の左右マチ部（２）に止体（３）を設けたものとし、この止体（３）に、手提げ式にしたり、肩掛け式にすることのできる予備ベルト（４）を着脱自在に取り付けることができるようにし、前記止体（３）は、吊下げ環（５）を取り付けたものとし、ランドセル本体（１）の左右マチ部（２）の表側に添わせたそれぞれのマチベルト（６）と、これら左右マチ部（２）の裏側に添わせたそれぞれの補強板（７）を、前記左右マチ部（２）をそれぞれ間に挟んで、これら左右マチ部（２）に複数個所をリベット止めしたうちの一個所と一緒にリベット止めしたことを特徴とするランドセル。
【請求項２】
前記止体（３）を、強度性に優れた合成樹脂体、または金属体に掛け部（３ａ）を形成し、この掛け部（３ａ）に前記吊下げ環（５）を引っ掛けたものとしたことを特徴とする請求項１記載のランドセル。
【請求項３】
前記リベット止めしたうちの他の一個所を、ナス環（８）付きの止体（９）と一緒にリベット止めしたことを特徴とする請求項１記載のランドセル。
【請求項４】
前記補強板（７）を、マチベルト（６）と同幅で横長とした強度性に優れた合成樹脂板としたことを特徴とする請求項１記載のランドセル。
【手続補正２】
【補正対象書類名】明細書
【補正対象項目名】００１２
【補正方法】変更
【補正の内容】
【００１２】
また、この考案のランドセルは、前記補強板７を、マチベルト６と同幅で横長とした強度性に優れた合成樹脂板としている。